(57)【要約】【課題】樹脂製の任意形状のリアカバーを用いる場合でも、狭ピッチで搭載したＬＥＤによって文字や絵柄を綺麗に表示でき組立性に優れたＬＥＤ実装構造、及びこれを備えた携帯端末を提供する。【解決手段】所定のパターンで基板上に整列配置された複数のＬＥＤ１と、ＬＥＤ１のそれぞれと対応する位置に穴２１が形成されたシリコンラバー２と、基板及びシリコンラバー２を収容する筐体を構成する透明なリアカバー３とを有し、シリコンラバー２は、リアカバー３と対向する側が、リアカバー３の内面と略同一形状であり、ＬＥＤ１の各々から発せられた光は、シリコンラバー２に形成された対応する穴２１を介してリアカバー３まで導光される。【選択図】図１
2010032764.tif 000002
【特許請求の範囲】
【請求項１】
所定のパターンで基板上に整列配置された複数のＬＥＤと、
前記ＬＥＤのそれぞれと対応する位置に貫通穴が形成されたシリコンラバーと、
前記基板及び前記シリコンラバーを収容する筐体を構成する透明なカバー部材とを有し、
前記シリコンラバーは、前記カバー部材と対向する側が、該カバー部材の内面と略同一形状であり、
前記ＬＥＤの各々から発せられた光は、前記シリコンラバーに形成された対応する前記貫通穴を介して前記カバー部材まで導光されることを特徴とするＬＥＤ実装構造。
【請求項２】
前記シリコンラバーは、前記基板と対向する側の周縁部に囲いリブが形成されており、該囲いリブが前記基板と当接することを特徴とする請求項１記載のＬＥＤ実装構造。
【請求項３】
前記シリコンラバーは、前記カバー部材と対向する側に、前記貫通穴の各々の周囲にリブが形成されており、前記リブが前記カバー部材の内面と当接することを特徴とする請求項１又は２記載のＬＥＤ実装構造。
【請求項４】
前記カバー部材の外面が非平面であることを特徴とする請求項１から３のいずれか１項記載のＬＥＤ実装構造。
【請求項５】
前記貫通穴の前記カバー部材側の開口形状は円形であることを特徴とする請求項１から４のいずれか１項記載のＬＥＤ実装構造。
【請求項６】
請求項１から５のいずれか１項記載のＬＥＤ実装構造を備えた携帯端末。
【発明の詳細な説明】
【技術分野】
【０００１】
本発明は、狭ピッチで搭載したＬＥＤ（Light Emitting Diode）を利用して文字や絵柄を表示する構造及びこれを備えた携帯端末に関する。
【背景技術】
【０００２】
狭ピッチで搭載されたＬＥＤを用いて、文字や絵柄を筐体面に表示する携帯端末が増加している。
【０００３】
図８に狭ピッチで搭載されたＬＥＤによって文字や絵柄を表示可能な携帯端末の構造例を示す。図示する構造においてはリアカバーは板金製であり、ＬＥＤに対応する位置に貫通穴が設けられている。板金とＬＥＤとの間には光の強さを調整する印刷が施されたＰＥＴ（PolyEthylene Terephthalate）シートがはさみ込まれており、これによって照光性を確保している。
【０００４】
このような構造では、リアカバーは平坦であったため、任意のＬＥＤから発せられた光が隣接するＬＥＤに対応する貫通穴から漏れ出ることはなかった。
【０００５】
また、樹脂製のリアカバーを備えた構成に関しては、特許文献１に開示される「ＬＥＤ表示装置」がある。
【特許文献１】特開２００６−１４５６８２号公報
【発明の開示】
【発明が解決しようとする課題】
【０００６】
一方、他の携帯端末と外観上での差別化を図ることは、携帯端末市場での競争力を高めるために重要な要因の一つとなっている。
【０００７】
このため、平坦なリアカバーのみならず、樹脂製の任意形状のリアカバーを用いる場合でも、狭ピッチに搭載したＬＥＤによって文字や絵柄を表示できるようにすることが求められている。
【０００８】
特許文献１に開示される発明を照光面が平坦ではないリアカバーに適用した状態を図９に示す。リアカバーの形状を任意とすると、機種によっては照光面が平坦ではなく凹凸であったり、ＬＥＤから照光面までの距離が大きくなったりする。
【０００９】
図１０（ａ）に、図８に示した携帯端末のＬＥＤ実装構造を、図１０（ｂ）に、図９に示した携帯端末のＬＥＤ実装構造を示す。照光面が非平面であったとしてもシートの貼り付け面は平面としなければならないため、リアカバーが厚くなってしまう。また、シートと照光面との距離が均一ではないため、光が重なる部分が発生してしまう。
【００１０】
すなわち、照光面が平坦ではないリアカバーの場合には、任意のＬＥＤから発せられた光と隣接するＬＥＤから発せられた光とが重なってしまい、文字や絵柄が綺麗に表示されなくなってしまう。しかも、筐体の内側の面（引用文献１でいうウインドウの内側）がフラットでない場合には、遮光シートや拡散シートを貼り付けるのは困難である。
【００１１】
また、特許文献１に開示される発明の構成は、遮光シート、拡散シート、両面接着テープ、ウインドウといった多数の部品を組み立てる必要があるため、生産性が低くなってしまう。
【００１２】
さらに、リアカバー全体を透明な樹脂製とする場合には、図９のように背面のみならずリアカバー側面からの光漏れも問題となる。特許文献１に開示される発明は、筐体の側面からの光漏れを防止することに関して何の開示もしていない。
【００１３】
このように、樹脂製の任意形状のリアカバーを用いる場合でも、狭ピッチで搭載したＬＥＤによって文字や絵柄を綺麗に表示できるＬＥＤ実装構造は実現されていなかった。
【００１４】
本発明は係る問題に鑑みてなされたものであり、樹脂製の任意形状のリアカバーを用いる場合でも、狭ピッチで搭載したＬＥＤによって文字や絵柄を綺麗に表示でき組立性に優れたＬＥＤ実装構造、及びこれを備えた携帯端末を提供することを目的とする。
【課題を解決するための手段】
【００１５】
上記目的を達成するため、本発明は、第１の態様として、所定のパターンで基板上に整列配置された複数のＬＥＤと、ＬＥＤのそれぞれと対応する位置に貫通穴が形成されたシリコンラバーと、基板及びシリコンラバーを収容する筐体を構成する透明なカバー部材とを有し、シリコンラバーは、カバー部材と対向する側が、該カバー部材の内面と略同一形状であり、ＬＥＤの各々から発せられた光は、シリコンラバーに形成された対応する貫通穴を介してカバー部材まで導光されることを特徴とするＬＥＤ実装構造を提供するものである。
【００１６】
また、上記目的を達成するため、本発明は、第２の態様として、上記本発明の第１の態様に係るＬＥＤ実装構造を備えた携帯端末を提供するものである。
【発明の効果】
【００１７】
本発明によれば、樹脂製の任意形状のリアカバーを用いる場合でも、狭ピッチで搭載したＬＥＤによって文字や絵柄を綺麗に表示でき組立性に優れたＬＥＤ実装構造、及びこれを備えた携帯端末を提供できる。
【発明を実施するための最良の形態】
【００１８】
図１に示すように、本発明に係るＬＥＤ実装構造は、所定のパターンで基板上に整列配置された複数のＬＥＤ１と、ＬＥＤ１のそれぞれと対応する位置に穴２１が形成されたシリコンラバー２と、基板及びシリコンラバー２を収容する筐体を構成する透明なリアカバー３とを有し、シリコンラバー２は、リアカバー３と対向する側が、リアカバー３の内面と略同一形状であり、ＬＥＤ１の各々から発せられた光は、シリコンラバー２に形成された対応する穴２１を介してリアカバー３まで導光されることを特徴とする。
【００１９】
以下、本発明の好適な実施の形態について説明する。
【００２０】
図２に、本発明を好適に実施したＬＥＤ実装構造を適用した径端末の分解斜視図を示す。ＬＥＤ１から発せられた光は、シリコンラバー２の穴２１を通って、透明な樹脂で形成されたリアカバー３まで到達し、リアカバー３を透過して照光面（リアカバー３の外面）に達する。なお、板金４は、ＬＥＤ実装構造の部分には配置されていない。
図３に、文字や絵柄の表示の一例を示す。
【００２１】
図４に、本実施形態に係る携帯端末の断面を示す。また、図５に、シリコンラバー２の構成を示す。シリコンラバー２には、狭ピッチで搭載されたＬＥＤ１の各々に対応させた穴２１が形成されており、照光面へ到達するまでに光が拡散することを防ぐガイドとなっている。
【００２２】
図４（ｂ）、図５に示すように、シリコンラバー２のリアカバー３と対向する側には、各穴にリング状のリブ２２が設けられており、隣の穴への光漏れを防止した構造となっている。
【００２３】
また、図４（ｃ）、図５に示すように、シリコンラバー２のＬＥＤ１と対向する側には周縁部に囲いリブ２３が形成されており、リアカバー３の側面からの光漏れを防止した構造となっている。
【００２４】
リブ２２や囲いリブ２３は、リアカバー３やＬＥＤ搭載基板と若干干渉するように設計することにより、光漏れをより確実に防止できる。よって、シリコンカバー２の材料としては、柔らかく撓みやすいものを選定することが好ましい。
【００２５】
照光面が平面ではない場合は、リアカバー３を均一な厚さとし、かつ薄くしてなるべく光を拡散させないようにすることで、照光面に文字や絵柄を綺麗に表示することが可能となる。換言すると、図６に示すように、シリコンラバー２の厚さを照光面の形状に合わせて変化させることで、リアカバー３の厚さを均一かつ薄くすることが可能となる。
【００２６】
なお、照光面に段差がある（ＬＥＤ１から照光面までの距離が均一ではない）場合は、図７に示すように、シリコンラバー２の形状をリアカバー３内面の段差の形状に合わせることで、照光面まで光を拡散させることなく導光して、文字や絵柄を綺麗に表示させることが可能となる。
【００２７】
このように、本実施形態に係るＬＥＤ実装構造によれば、狭ピッチで搭載されたＬＥＤの光によって文字や模様を表示する際に、照光面の形状によらず綺麗に表示できる。湾曲面や凹凸面であってもＬＥＤ光によって文字や絵柄を綺麗に表示できるため、端末のデザイン性が向上する。
【００２８】
また、シリコンラバー２は成形品単体であるため、図９に示したＰＥＴシートを用いる構成とは異なり印刷や両面接着テープの貼り付けといった工程が不要であり、生産性や組立性に優れる。
【００２９】
なお、上記実施形態は本発明の好適な実施の一例であり、本発明はこれに限定されることはない。
例えば、図示してＬＥＤの配列パターンは一例であり、異なる配列パターンであっても本発明を適用可能であることはいうまでもない。
また、上記の例ではシリコンラバーの穴の開口形状が円形である場合を例としたが、矩形や菱形、ハート形など任意の開口形状とすることが可能であることはいうまでもない。
このように、本発明は様々な変形が可能である。
【図面の簡単な説明】
【００３０】
【図１】本発明に係るＬＥＤ実装構造の構成を示す図である。
【図２】本発明の好適な実施の形態に係るＬＥＤ実装構造を適用した携帯端末の構成を示す図である。
【図３】文字や図柄の表示例を示す図である。
【図４】携帯端末の断面を示す図である。
【図５】シリコンラバーの構成を示す図である。
【図６】シリコンラバーの厚さを照光面の形状に合わせて変化させることで、リアカバーの厚さを均一とした状態を示す図である。
【図７】照光面に段差が存在する場合のシリコンラバーの形状の一例を示す図である。
【図８】狭ピッチで搭載されたＬＥＤによって文字や絵柄を表示可能な携帯端末の構造例を示す図である。
【図９】特許文献１に開示される発明を照光面が平坦ではないリアカバーに適用した状態を示す図である。
【図１０】ＰＥＴシートを用いて導光するＬＥＤ実装構造を適用した携帯端末の断面を示す図である。
【符号の説明】
【００３１】
１    ＬＥＤ
２    シリコンラバー
３    リアカバー
４    板金
２１    貫通孔
２２    リブ
２３    囲いリブ
【図１】
2010032764.tif 000003
【図２】
2010032764.tif 000004
【図３】
2010032764.tif 000005
【図４】
2010032764.tif 000006
【図５】
2010032764.tif 000007
【図６】
2010032764.tif 000008
【図７】
2010032764.tif 000009
【図８】
2010032764.tif 000010
【図９】
2010032764.tif 000011
【図１０】
2010032764.tif 000012